(57)【要約】  本発明の建造物（２）は、緊急時に使用するための、及び緊急対応時に必要とされそうな建造物（２）に関する情報を取得するために緊急サービスを利用可能とするための情報設備を有する建造物（２）であって、（ｉ）建造物（２）に関する情報が情報コンテナ（４）を介してアクセスされ、（ｉｉ）情報コンテナ（４）は建造物の外側の一部に設けられ、（ｉｉｉ）情報コンテナ（４）は、本体（８）と、本体を閉鎖するためのドア（１０）と、建造物（２）に関する情報にアクセスするための制御手段（１２）と、を有し、（ｉｖ）建造物（２）に関する情報は、記憶手段（１４）に記憶され、（ｖ）制御手段（１２）は記憶手段（１４）内の情報に電気的にアクセスする、ことを特徴とする。【選択図】図１
2013541070.tif 000002
【特許請求の範囲】
【請求項１】
緊急時に使用するための、及び緊急対応時に必要とされそうな建造物に関する情報を取得するために緊急サービスを利用可能とするための情報設備を有する建造物であって、
（ｉ）前記建造物に関する情報が情報コンテナを介してアクセスされ、
（ｉｉ）前記情報コンテナは前記建造物の外側の一部に設けられ、
（ｉｉｉ）前記情報コンテナは、本体と、該本体を閉鎖するためのドアと、前記建造物に関する情報にアクセスするための制御手段と、を有し、
（ｉｖ）前記建造物に関する情報は、記憶手段に記憶され、
（ｖ）前記制御手段は前記記憶手段内の情報に電気的にアクセスする、
ことを特徴とする建造物。
【請求項２】
前記記憶手段は、前記建造物の内部あるいは前記建造物上に設置されている、請求項１に記載の建造物。
【請求項３】
前記記憶手段は、制御ボックス内に設置されている、請求項２に記載の建造物。
【請求項４】
前記記憶手段は、前記建造物から遠く離れた場所に設置されている、請求項１に記載の建造物。
【請求項５】
前記制御手段は、タッチスクリーンを有する、請求項１乃至４のいずれか一項に記載の建造物。
【請求項６】
前記タッチスクリーンは、コンピュータの一部であり、前記記憶手段も前記コンピュータの一部である、請求項５に記載の建造物。
【請求項７】
前記情報コンテナが、非常事態担当者が緊急対応時の作業を調整することができる調整制御機能を備える、請求項１乃至６のいずれか一項に記載の建造物。
【請求項８】
前記調整制御機能は、前記記憶手段内に存在する、請求項７に記載の建造物。
【請求項９】
前記情報コンテナは、非常事態担当者が前記建造物の中へ持っていくための少なくとも一つの着脱式電子機器を備え、
前記着脱式電子機器は、非常事態を担当し前記着脱式電子機器を使用する者が前記建造物から抜け出す道を探すことができるように前記建造物に関する少なくとも一部の情報を備えるような着脱式電子機器である、請求項１乃至８のいずれか一項に記載の建造物。
【請求項１０】
前記着脱式電子機器は、非常事態担当者が前記情報コンテナにコンタクトするとともに、複数の着脱式電子機器が前記情報コンテナ内にある場合は他の着脱式電子機器にコンタクトする２通りのコンタクト方法を維持することを可能とする、請求項９に記載の建造物。
【請求項１１】
前記着脱式電子機器は、携帯式タブレット型ＰＣである、請求項９または１０に記載の建造物。
【請求項１２】
前記着脱式電子機器は、ＧＰＳを備える、請求項９乃至１１のいずれか一項に記載の建造物。
【請求項１３】
前記制御手段は、前記制御手段が前記建造物内の少なくとも一つの建造物管理システムと接続することを可能とするリンク施設を有する、請求項１乃至１２のいずれか一項に記載の建造物。
【請求項１４】
前記情報コンテナは、結露防止手段を備える、請求項１乃至１３のいずれか一項に記載の建造物。
【請求項１５】
前記結露防止手段は、電気式暖房手段、及び／または化学式吸水手段である、請求項１４に記載の建造物。
【請求項１６】
建造物内で何が起こっているかを映し出すスクリーンを備える、請求項１乃至１５のいずれか一項に記載の建造物。
【請求項１７】
前記スクリーンは、前記建造物内に固定されたビデオカメラからの映像データを取得する、請求項１６に記載の建造物。
【請求項１８】
前記スクリーンは、着脱式電子機器に内蔵され、その結果、前記建造物内で非常事態担当者と共に移動するビデオカメラからの映像データを取得する、請求項９または１６に記載の建造物。
【請求項１９】
前記ドアは広く用いられているセキュリティキーで施錠及び開錠される、請求項１乃至１８のいずれか一項に記載の建造物。
【請求項２０】
前記建造物の外側の一部は、正面玄関の近傍にある、請求項１乃至１９のいずれか一項に記載の建造物。
【請求項２１】
複数の情報コンテナが設けられている、請求項１乃至２０のいずれか一項に記載の建造物。
【発明の詳細な説明】
【技術分野】
【０００１】
本発明は、緊急情報設備を有する建造物に関する。特に、本発明は、緊急時に使用するための、あるいは、緊急対応時に必要とされそうな建造物に関する情報を取得するために緊急サービスを利用可能とするための情報設備を有する建造物に関する。
【背景技術】
【０００２】
緊急情報設備を有する建造物が知られている。具体的には、建造物の外部に情報コンテナを備えた建造物として知られている。情報コンテナは、緊急時に使用するための、あるいは、緊急対応時に必要とされそうな建造物に関する情報を取得するために緊急サービスを利用可能とするための情報を含む。その情報は、書面あるいは１つ以上のコンパクトディスクのいずれかに存在する。書面での情報の提供は、情報コンテナ内への湿気の侵入等により書類が情報コンテナ内で時間と共に劣化しうるという点で使い勝手が悪い。さらに、建造物が火災にあった場合等、環境条件が建造物の近傍の書面の情報を読み出すことを困難にする場合もある。さらに、建造物が巨大な場合、関連する書類の量は情報コンテナに収まらないほど多くなりうる。ＣＤ−ＲＯＭ等のコンパクトディスクで供される情報は格納に便利であるが、コンパクトディスク上の情報にアクセスするためには適当な再生場所まで持ち出さなければならない。そのような再生場所はすぐに利用できないかもしれず、非常事態が生じた建造物のすぐ近くの場所にはないかもしれない。
【発明の概要】
【発明が解決しようとする課題】
【０００３】
本発明は、上記の問題を取り除き、あるいは削減することを目的とする。
【課題を解決するための手段】
【０００４】
したがって、本発明の限定されない一実施例において、緊急時に使用するための、及び緊急対応時に必要とされそうな建造物に関する情報を取得するために緊急サービスを利用可能とするための情報設備を有する建造物が提供され、建造物は、
（ｉ）建造物に関する情報が情報コンテナを介してアクセスされ、
（ｉｉ）情報コンテナは建造物の外側の一部に設けられ、
（ｉｉｉ）情報コンテナは、本体と、本体を閉鎖するためのドアと、建造物に関する情報にアクセスするための制御手段と、を有し、
（ｉｖ）建造物に関する情報は、記憶手段に記憶され、
（ｖ）制御手段は記憶手段内の情報に電気的にアクセスする。
【０００５】
記憶手段は、建造物の内部あるいは建造物上に設置することができる。この場合、記憶手段は制御ボックス内に設置してもよい。あるいは、記憶手段は建造物内のどこか、例えば建造物の地下部分に設置してもよい。
【０００６】
本発明の他の実施例において、記憶手段は建造物から遠く離れた場所に設置してもよい。この場合、記憶手段はリモートコントロールセンターに設置してもよい。
【０００７】
本発明の全ての実施例において、制御手段はタッチスクリーンを有していてもよい。この場合、建造物は、タッチスクリーンがコンピュータの一部であり、記憶手段もコンピュータの一部であるような建造物であってもよい。所望により、制御手段はタッチスクリーン以外のものであってもよい。
【０００８】
建造物は、情報コンテナが、非常事態担当者が緊急対応時の作業を調整することができる調整制御機能（coordination control facility）を備えるような建造物であってもよい。例えば、建造物が火事の場合、非常事態担当者が消防隊長となることができる。情報コンテナは、コンピュータを利用した建造物安全情報コンテナとみなすことができる。情報コンテナは、箱または他の適切且つ適当な種類のコンテナであってもよい。
【０００９】
好ましくは、調整制御機能は記憶手段内に存在する。しかしながら、所望により、調整制御機能は独立した記憶手段あるいは独立した機器内に存在してもよい。
【００１０】
建造物は、情報コンテナが、非常事態担当者が建造物の中へ持っていくための少なくとも一つの着脱式電子機器を備えるような建造物であってもよく、着脱式電子機器は、非常事態を担当し着脱式電子機器を使用する者が建造物から抜け出す道を探すことができるように建造物に関する少なくとも一部の情報を備えるような着脱式電子機器である。好ましくは、着脱式電子機器は、非常事態担当者が情報コンテナにコンタクトするとともに、複数の着脱式電子機器が情報コンテナ内にある場合は他の着脱式電子機器にコンタクトする２通りのコンタクト方法を維持することを可能とする。２通りのコンタクト方法は、無線連絡、及び／または目視であってもよい。そのような２通りのコンタクト方法は、例えば火災やテロリストに建造物を占拠された場合などの非常事態において極めて有用である。
【００１１】
好ましくは、着脱式電子機器は携帯式タブレット型ＰＣである。他のタイプの着脱式電子機器を使用することもできる。
【００１２】
着脱式電子機器は、全地球測位システム（ＧＰＳ）を備えていてもよい。ＧＰＳは、情報コンテナ内の人物が着脱式電子機器を持ち運んでいる人物の建造物内での位置を決定することを可能とする。着脱式電子機器は他の種類の消防士追跡装置を備えていてもよい。従って、例えば、着脱式電子機器は消防士等の非常事態担当者の追跡を容易にするために無線自動識別装置（ＲＦＩＤ）及び／またはワイファイを備えていてもよい点が挙げられる。その代わりに、着脱式電子機器は慣性航行装置であってもよい。
【００１３】
制御手段は、好適には制御手段が建造物内の少なくとも一つの建造物管理システムと接続することを可能とするリンク施設を有していてもよい。その後、制御手段は、建造物管理システムにアクセスし、管理システムを遠隔操作して、例えば、水、及び／またはガス、及び／または供給品を停止したり、火災用スプリンクラーの動作を開始させたりすることができる。
【００１４】
情報コンテナは、好適には結露防止手段を備える。結露防止手段は、電子機器が動作しなくなるような電子機器への結露を防止することができる。結露防止手段は、電気式暖房手段、及び／または化学式吸水手段であってもよい。
【００１５】
情報コンテナは、建造物内で何が起こっているかを映し出すスクリーンを備えていてもよい。スクリーンは、建造物内に固定されたビデオカメラからの映像データを取得できる。その代わりに、あるいはこれに加えて、スクリーンは、着脱式電子機器に内蔵され、その結果、建造物内で非常事態担当者と共に移動するビデオカメラからの映像データを取得してもよい。
【００１６】
好ましくは、ドアは広く用いられているセキュリティキーで施錠及び開錠される。従って、例えば、キーは所定の指定された数の消防隊のキーであってもよい。ドアは、所望により他の手段により施錠及び開錠されてもよく、例えば、ドアは１つのセキュリティキーにより、及び／またはダイヤルキーによって、施錠及び開錠されてもよい。
【００１７】
情報コンテナを支持する建造物の外側の一部は、正面玄関の近傍にあってもよい。
【００１８】
必要に応じて、建造物には複数の情報コンテナが設けられていてもよい。この場合、建造物は、情報コンテナのうちの１つが建造物の表玄関にあって、情報コンテナのうちの１つが建造物の後部入り口にあってもよい。
【００１９】
建造物に関する情報は、緊急時の使用のために要求され、緊急対応時に必要となりそうな建造物に関する情報を救急隊が取得できるように要求される類型の適切で適当な情報であってもよい。従って、建造物に関する情報は建造物の図面を含んでいてもよい。建造物が複数階のビルである場合、その情報はビルの各フロアの詳細なレイアウト図面を含んでもよい。建造物に関する情報は、また、給水、ガスの供給、電気の供給、建造物への入り口、及び建造物の建設に使用された建築材料に関する情報を含んでもよい。
【００２０】
建造物は、適切で適当なサイズ及び／または複雑さを有する、如何なる適切で適当な建造物であってもよい。従って、建造物は、例えば、巨大なホテル、会社のオフィス、公共建築物、医療用建築物、居住介護用建築物、教育用建築物、小売用建築物、倉庫、歴史的建築物、駅、空港、あるいは高層アパートであってもよい。
【００２１】
救急サービスは、消防隊、救急サービス、軍隊、あるいはＳＡＳを含む、非常事態に適した如何なる救急サービスであってもよい。
【発明の効果】
【００２２】
本発明の建造物によれば、記憶手段に電気的にアクセスする制御手段を介して情報を容易に入手できる。書面が濡れたり、強風に吹き飛ばされたりしても情報には何ら問題は生じない。コンパクトディスクへのアクセスポイントを探す必要もない。情報コンテナは、視認でき、且つ安全な場所であって、建造物の外側の一部の上に設置することができる。
【００２３】
本発明の実施例について、添付図面を参照して単なる例として説明する。
【図面の簡単な説明】
【００２４】
【図１】建造物の外側の一部に設置した情報コンテナを有する建造物の斜視図である。
【図２】建造物の平面図、タッチスクリーン、及び建造物内の階数を示す図である。
【図３】図２の拡大図である。
【図４】建造物の１階の平面図である。
【図５】図４の一部の拡大図である。
【発明を実施するための形態】
【００２５】
図１〜３に関して、緊急時に使用するための、あるいは、緊急対応時に必要とされそうな建造物に関する情報を取得するために緊急サービスを利用可能とするための情報設備を有する建造物２が示されている。建造物２は、建造物２に関する情報が情報コンテナ４を介してアクセスされるようになされている。情報コンテナ４は、建造物２の外側の一部６に存在する。
【００２６】
図１に示すように、情報コンテナ４は、本体８と、本体を閉鎖するためのドア１０と、建造物２に関する情報にアクセスするための制御手段１２と、を有している。建造物２に関する情報は、記憶手段１４に記憶されている。制御手段１２は記憶手段１４内の情報に電気的にアクセスする。記憶手段１４は、情報コンテナ４の中の制御手段１２内に設置される。所望により、記憶手段１４は、情報コンテナ４の本体８内の他の場所に配置することができ、あるいは、記憶手段１４は、情報コンテナ４から遠く離れた場所、例えば、建造物２の内部または建造物２から遠く離れた場所に配置することができる。
【００２７】
好ましくは、制御手段はタッチスクリーン１６を有する。タッチスクリーン１６はコンピュータの一部であり、記憶手段１４もまたコンピュータの一部であってもよい。
【００２８】
情報コンテナ４は、非常事態担当者が緊急対応時の作業を調整することができる調整制御機能を有していてもよい。例えば、建造物２が火事になるという非常事態の場合、非常事態担当者が消防隊長となることができる。調整制御機能は記憶手段１４内に記憶されている。あるいは、調整制御機能は独立した記憶手段に記憶されてもよい。
【００２９】
情報コンテナ４は、情報コンテナ４から分離され、非常事態担当者が建造物の中へ持っていくための２つの着脱式電子機器１８を有する。各着脱式電子機器１８は、非常事態を担当し着脱式電子機器を使用する者が建造物から抜け出す道を探すことができるように建造物に関する少なくとも一部の情報を備えるような着脱式電子機器である。着脱式電子機器１８は、非常事態担当者が情報コンテナ４にコンタクトするとともに、他の着脱式電子機器１８にコンタクトする２通りのコンタクト方法を維持することを可能とする。着脱式電子機器１８は、好ましくは、携帯式タブレット型ＰＣである。
【００３０】
着脱式電子機器１８は、好適にはＧＰＳを備える。従って、情報コンテナ４内の人物が着脱式電子機器１８を持ち運んでいる人物の建造物内での位置を決定することができる。
【００３１】
制御手段１２は、制御手段１２が建造物２内の少なくとも一つの建造物管理システムと接続することを可能とするリンク施設を有する。従って、制御手段は、非常時においては建造物管理システムを制御することができ、例えば、水、ガス、及び火災用スプリンクラーなどの１つ以上のサービスを要求に応じて管理システムにオン／オフさせることができる。
【００３２】
情報コンテナは、好ましくは電子機器が動作しなくなるような情報コンテナ４内の電子機器への結露の発生を防止するための結露防止手段を備える。結露防止手段は、電気式暖房手段１９、及び／または化学式吸水手段２１であってもよい。
【００３３】
情報コンテナは、建造物内で何が起こっているかを映し出すスクリーン２０を備えていてもよい。そこで、例えば図２に示すように、スクリーン２０は建造物のフロア平面図を提供することができる。制御手段１２は、図２に示すフロアの一部２２を図３に示されるように拡大させることができる拡大機能を備える。所望により、スクリーン２０は、建造物２内に固定されたビデオカメラ（図示せず）からの映像データを取得してもよい。その代わりに、あるいはこれに加えて、スクリーン２０は、着脱式電子機器１８に内蔵され、その結果、建造物２内で非常事態担当者と共に移動するビデオカメラ（図示せず）からの映像データを取得してもよい。
【００３４】
ドア１０は広く用いられているセキュリティキー、例えば適当なＦＢ番号を有する消防隊のキーや、例えばマグネチックロック２６の施錠及び開錠を行うファイヤーマンズ・オーバライド・ドロップ・キー・スイッチ２４で施錠及び開錠される。
【００３５】
建造物に関する情報は、建造物２の各フロアの平面図であり、部屋のレイアウト及びアクセスポイントを含む。その情報は、給水、ガスの供給、電気の供給、正面玄関、及び建造物の建設に使用された建築材料に関する情報を含んでもよい。
【００３６】
図４は、図２に類似した図面であるが、制御手段３０により情報コンテナ内のスクリーンに提供された１階２８を図示している。図５は、図４に示す１階２８の拡大された部分３２を示している。
【００３７】
ほんの一例として、本発明の建造物で用いられる装置は、以下の６つの主要構成要素を含むことが好ましい。
【００３８】
１．情報コンテナ
情報コンテナは、目立ち過ぎず、建造物の外観に調和する、高度に安全な防水耐衝撃性筐体ユニットであってもよい。情報コンテナは、消防隊のニーズや要求と、建造物の所有者のそれとを釣り合わせている。情報コンテナは、黒色、煉瓦色、銀色、あるいは白色などの多くの異なった仕上げが施される。情報コンテナ内の如何なる内容も通常は、例えば、消防隊、メンテナンス会社、あるいは管理会社等の許可を受けた者のみによってアクセス可能とされていてもよい。情報コンテナは、高度に安全なロック機構を有するロッキングシステムを有していてもよい。ロック機構は鍵、及び／またはダイヤルを基盤としてもよい。
【００３９】
情報コンテナは、適切な仕様の無停電電源ユニットとともに、年間を通じて内部環境温度を１５℃に保つことが可能な、高性能な結露防止暖房システムを備えてもよい。情報コンテナ用のバッテリ電源を使用することができ、この場合、使用されるバッテリ電源は太陽エネルギー等により再充電可能である。
【００４０】
２．「固定式」タッチスクリーンコンピュータ／モニタ
例えば、１７インチや１９インチといった所望のサイズのタッチスクリーンのモニタを使用することができる。モニタは、投影型静電容量方式（ＰＣＴ）のタッチスクリーン技術を利用してもよい。この技術により、良好な解像度が得られ、耐候性及び耐衝撃性を実現する６ｍｍの強化安全ガラスを利用することができる。この技術は、また、消防士の手袋をはめた指を検知することを可能にする。投影型静電容量方式のタッチスクリーン技術の他の主要な利点は、可動部品を内蔵していない点、及びシステムが一旦調整されると変動しない点である。投影型静電容量方式のタッチスクリーン技術の寿命は、タッチ回数５０００万回以上である。
【００４１】
装置の他の全ての構成要素と同様に、モニタは、衝撃耐性を有するように配置され、埃の侵入を防ぐことができ、あらゆる方向からの水の噴出から守られる。
【００４２】
３．オペレーティングソフト
既存のＣＡＤ図面を容易にアップロードすることができ、エンドユーザが平面図を通して効果的に通路をパンしたりズームしたりすることができる、一般的なオペレーティングソフトを用いてもよい。
【００４３】
４．着脱式タブレット型「携帯」コンピュータ
固定式タッチスクリーンコンピュータを正確に再現するために、１つまたは２つ以上の着脱式タブレット型「携帯」コンピュータを情報コンテナ内に備えてもよい。それぞれの着脱式コンピュータは、固定式タッチスクリーンコンピュータと同じオペレーティングソフト及び投影型静電容量方式のタッチスクリーン技術を利用することができる。それぞれの着脱式コンピュータは、頑丈で耐火性を有するように構成されてもよく、好適には追跡装置を有していてもよい。
【００４４】
５．追跡装置
適切かつ適正な追跡装置を使用してもよい。好ましい追跡装置は、慣性航行装置である。慣性航行装置は、建造物内の消防士を追跡する効率的で費用効果が高い手段である。好ましい慣性航行装置は、米国シーアテクノロジー社により製造され、ナビシーア個人用追跡装置として販売されているものである。ナビシーア個人用追跡装置は、ＧＳＭ／ＧＰＲＳセルプロトコルラジオを有していてもよい。位置データは、ナビシーアユニットから、既存の公共携帯電話ネットワークを介して、シーア視覚化ソフトを備えるパーソナルコンピュータあるいはラップトップに送信されてもよい。
【００４５】
６．携帯用追跡ユニット
本発明の建造物で使用される装置として携帯用小型ナビシーア追跡装置を使用してもよい。即ち、１台またはそれぞれの着脱式コンピュータ内に配置されたナビシーア追跡装置に加えて、情報コンテナ内の小型の箱の中に含まれるなどした、追加の小型ナビシーア追跡タグが複数供給される。これらの付加的な小型ナビシーア追跡タグは、建造物に入り、着脱式タブレットコンピュータを携行していない消防士に対して指揮本部長によって割り当てられる。
【００４６】
本発明で使用される装置は、建造物内に保管され、あるいは使用されている潜在的に危険な材料を特定できるという利点を有する。そのような材料は、すでに火災に巻き込まれており、救急隊員に危険をもたらすか、または潜在的に環境を害する物質であるか、あるいは火災に巻き込まれ、急速な延焼または爆発のリスクを引き起こす物質であってもよい。消防指揮官は、そのような危険な場所を探し、適切な行動をとることができる。わかりやすいＣＡＤの図面は、その場所にどのような問題が存在するかを明らかにするために、救急隊員が正確な場所に迅速かつ安全にどのようにたどり着けるかを分析可能とする。建造物の図面は、また、爆発によって引き起こされる火災やダメージによるストレスの下で建造物の構造がどのように振る舞うかについての良いアイデアを救急隊に与えることができる。このことは、さらなる建造物のダメージを最小化し、人々の安全を最大化するのに寄与する。タッチスクリーン技術が使用され、好ましくはパン及びズームフォーマットを使用する。
【００４７】
本装置は、特に巨大で複雑な建造物における事件に際して到着した消防隊や救急隊を強力に支援することができる。火災や緊急事態の初期段階が重要な意味を有する。消防隊は、現場に到着し、状況を把握し、生命や財産に対するリスクを確認及び評価し、非常事態がどのようになりそうであるかを予測しなければならない。これは、消防隊及び特に事件を最良の状態に制御するために迅速に決定しなければならない指揮本部長にとって、集中して活動する期間であり、しばしばストレスがかかる期間である。本発明による装置は、消防隊がパン及びズームするタッチスクリーンのフォーマットで建造物の平面図を読み取れるようにする。平面図は、緊急事態に関連する建造物の主な機能を示していてもよい。例えば、平面図は、確立した火災のリスクについての評価情報とともに、非常口、消防設備、火災用ライザー（fire risers）、スプリンクラーシステムの位置を示すことができる。平面図は、また、特定の建造物に固有の救出計画情報を示す。例えば、絵画、アンティーク、あるいは他の歴史的なアイテムといった貴重で高価な芸術品を有する巨大で複雑な建造物が多く存在する。本発明によって提供される情報は、これらの芸術品の正確な場所を開示し、建造物の所有者が重要性の優先順位を付けるのに寄与する。情報コンテナは、外部に配置された、堅牢で底が浅い金属製ボックスであってもよい。
【００４８】
当然のことながら、添付の図面を参照して上述した本発明の実施例は、単なる例示を目的としており、変更することもできる。従って、情報コンテナ４の形状は図示したものと異なっていてもよい。情報コンテナ４は、建造物２の外部の所望の場所に設置することができる。図面に示された個々の構成要素は、その図面における使用には限定されず、他の図面及び本発明の全ての側面においても使用することができる。
【図１】
2013541070.tif 000003
【図２】
2013541070.tif 000004
【図３】
2013541070.tif 000005
【図４】
2013541070.tif 000006
【図５】
2013541070.tif 000007
【国際調査報告】
2013541070.tif 000008
2013541070.tif 000009